(57)【要約】【課題】商品の購入機会の増加を適正に図る。【解決手段】会員により所有される会員端末と、会員と商品提供者との商取引を管理する管理サーバ４００とを備える商取引システムであって、管理サーバは、会員ＡのユーザＩＤと、この会員Ａにより紹介された新規メンバーとなった会員ＢのユーザＩＤを対応付けてメンバー対応情報ｄ３として記憶するデータベース部ＤＢと、会員Ｂの商取引における現金での取引額を２倍した額に相当する円天Ｍを当該会員Ｂに付与する第一の円天付与処理と、会員Ｂの取引額を１／２倍した額に相当する円天Ｍを、メンバー対応情報ｄ３に基づいて会員Ｂを紹介した会員Ａに付与する第二の円天付与処理とを行うＣＰＵ４１を備える。【選択図】図３
2007328749.tif 000002
【特許請求の範囲】
【請求項１】
顧客により所有される顧客端末と、前記顧客端末と所定のネットワークを介して接続され、前記顧客と商品販売者との商取引を管理する管理サーバとを備える商取引システムであって、
前記管理サーバは、
一の顧客を識別する一の識別情報と、前記一の顧客により紹介された他の顧客を識別する他の識別情報を対応付けて記憶する顧客対応情報記憶手段と、
前記他の顧客と前記商品販売者との商取引における現金での取引額を第一の倍率で積算して当該積算額に相当する電子マネーを、前記他の顧客に付与する第一の電子マネー付与手段と、
前記取引額を第二の倍率で積算して当該積算額に相当する電子マネーを、前記顧客対応情報記憶手段に前記他の顧客に係る前記他の識別情報と対応付けて記憶される前記一の識別情報に係る前記一の顧客に付与する第二の電子マネー付与手段と、を備えることを特徴とする商取引システム。
【請求項２】
前記顧客対応情報記憶手段は、前記一の顧客の前記一の識別情報と、当該一の顧客を紹介した紹介者の識別情報とを対応付けて複数記憶し、
前記第二の電子マネー付与手段は、前記取引額を所定の倍率で積算して当該積算額に相当する電子マネーを、前記顧客対応情報記憶手段に前記一の識別情報と対応付けて記憶される前記識別情報に係る前記紹介者に順次付与することを特徴とする請求項１に記載の商取引システム。
【請求項３】
前記管理サーバは、前記ネットワーク上に前記顧客の登録を行う顧客登録サイトを開設し、
前記一の顧客の前記顧客端末は、
当該一の顧客に係る前記一の識別情報と対応付けられ、前記顧客登録サイトにアクセスするリンク情報が付された電子メールを、被紹介者である前記他の顧客の前記顧客端末に送信するメール送信手段を備えることを特徴とする請求項１又は２に記載の商取引システム。
【請求項４】
前記管理サーバは、前記ネットワーク上に前記顧客の登録を行う顧客登録サイトを開設し、
前記他の顧客の前記顧客端末は、
当該他の顧客の紹介者である前記一の顧客に係る前記一の識別情報を前記顧客登録サイトにて入力する識別情報入力手段を備えることを特徴とする請求項１又は２に記載の商取引システム。
【請求項５】
前記他の顧客の前記顧客端末は、
前記顧客登録サイトのＵＲＬを入力するＵＲＬ入力手段を備えることを特徴とする請求項４に記載の商取引システム。
【請求項６】
前記他の顧客の前記顧客端末は、
前記顧客登録サイトのＵＲＬの情報が符号化されたデジタルコードから前記ＵＲＬを読み取るＵＲＬ読取手段を備えることを特徴とする請求項４に記載の商取引システム。
【発明の詳細な説明】
【技術分野】
【０００１】  本発明は、顧客と商品販売者との商取引に係る商取引システムに関する。
【背景技術】
【０００２】  従来より、顧客の購買意欲を高めるために、顧客と商品販売者との商取引における取引金額に応じてポイントを付与して、ポイント数に応じて商品や商品券に交換するポイント還元サービスを提供したり、ポイント数に応じた金額を次回の取引金額（支払い金額）から割り引くようにしたシステムが知られている（例えば、特許文献１参照）。
【特許文献１】特開２００３−１０８８９９号公報
【発明の開示】
【発明が解決しようとする課題】
【０００３】  ところで、商品を購入した者が、その商品が優れていることやその商品を取り扱っている小売店等を仲間や友人といった親しい者に教える場合があり、これによって、当該仲間等による商品の購入機会が生じることとなる。さらに、新たに商品を購入した者も、その者の仲間等に商品を勧めることで、商品の新たな購入機会が生じることとなる。
このように、商品の購入機会は、最初に商品を購入した者の親しい者から親しい者へと増加していくこととなり、これによって、市場における通貨の流通が促進される。【０００４】  しかしながら、上記特許文献１等のように、商品を実際に購入した友人等にのみポイントを付与しただけでは、商品の購入機会の増加を適正に図ることができないといった問題がある。即ち、商品の購入機会の増加は、商品が親しい者から親しい者へと紹介されることにより行われるため、当該商品がより多くの親しい者へと紹介されることが望ましいが、商品を実際に購入した者にのみポイントを付与しただけでは、当該購入者による次回の商取引の機会を増加させるに過ぎないためである。【０００５】  そこで、本発明の課題は、商品の購入機会の増加を適正に図ることができる商取引システムを提供することである。
【課題を解決するための手段】
【０００６】  上記課題を解決するため、請求項１に記載の発明は、
顧客（例えば、会員Ａ等）により所有される顧客端末（例えば、図１の会員端末２００Ａ等）と、前記顧客端末と所定のネットワーク（例えば、図１のインターネットＮ等）を介して接続され、前記顧客と商品販売者（例えば、図１の加盟店（商品提供者）Ｉ等）との商取引を管理する管理サーバ（例えば、図１の管理サーバ４００等）とを備える商取引システム（例えば、図１の商取引システム１００等）であって、
前記管理サーバは、
一の顧客を識別する一の識別情報と、前記一の顧客により紹介された他の顧客を識別する他の識別情報を対応付けて記憶する顧客対応情報記憶手段（例えば、図３のデータベース部ＤＢ等）と、
前記他の顧客と前記商品販売者との商取引における現金での取引額を第一の倍率で積算して当該積算額に相当する電子マネーを、前記他の顧客に付与する第一の電子マネー付与手段（例えば、図３のＣＰＵ４１等）と、
前記取引額を第二の倍率で積算して当該積算額に相当する電子マネーを、前記顧客対応情報記憶手段に前記他の顧客に係る前記他の識別情報と対応付けて記憶される前記一の識別情報に係る前記一の顧客に付与する第二の電子マネー付与手段（例えば、図３のＣＰＵ４１等）と、を備えることを特徴としている。【０００７】  請求項２に記載の発明は、請求項１に記載の商取引システムにおいて、
前記顧客対応情報記憶手段は、前記一の顧客の前記一の識別情報と、当該一の顧客を紹介した紹介者の識別情報とを対応付けて複数記憶し、
前記第二の電子マネー付与手段は、前記取引額を所定の倍率で積算して当該積算額に相当する電子マネーを、前記顧客対応情報記憶手段に前記一の識別情報と対応付けて記憶される前記識別情報に係る前記紹介者に順次付与することを特徴としている。【０００８】  請求項３に記載の発明は、請求項１又は２に記載の商取引システムにおいて、
前記管理サーバは、前記ネットワーク上に前記顧客の登録を行う顧客登録サイトを開設し、
前記一の顧客の前記顧客端末は、
当該一の顧客に係る前記一の識別情報と対応付けられ、前記顧客登録サイトにアクセスするリンク情報が付された電子メールを、被紹介者である前記他の顧客の前記顧客端末に送信するメール送信手段（例えば、図５の通信制御部２６１等）を備えることを特徴としている。【０００９】  請求項４に記載の発明は、請求項１又は２に記載の商取引システムにおいて、
前記管理サーバは、前記ネットワーク上に前記顧客の登録を行う顧客登録サイトを開設し、
前記他の顧客の前記顧客端末は、
当該他の顧客の紹介者である前記一の顧客に係る前記一の識別情報を前記顧客登録サイトにて入力する識別情報入力手段（例えば、図６の操作入力部２４２）を備えることを特徴としている。【００１０】  請求項５に記載の発明は、請求項４に記載の商取引システムにおいて、
前記他の顧客の前記顧客端末は、
前記顧客登録サイトのＵＲＬを入力するＵＲＬ入力手段（例えば、図６の操作入力部２４２等）を備えることを特徴としている。【００１１】  請求項６に記載の発明は、請求項４に記載の商取引システムにおいて、
前記他の顧客の前記顧客端末は、
前記顧客登録サイトのＵＲＬの情報が符号化されたデジタルコード（例えば、図１７のＱＲコードＣ等）から前記ＵＲＬを読み取るＵＲＬ読取手段（例えば、図６の撮像部２７２等）を備えることを特徴としている。
【発明の効果】
【００１２】  本発明によれば、他の顧客による商取引に基づいて、当該他の顧客に対して所定量の電子マネーを付与するだけでなく、他の顧客を紹介した一の顧客に対しても所定量の電子マネーを付与することができる。即ち、会員どうしの紹介の事実関係を考慮して所定量の円天を付与することができるので、商品の購入機会の増加を適正に図ることができる。
【発明を実施するための最良の形態】
【００１３】  以下に、本発明について、図面を用いて具体的な態様を説明する。ただし、発明の範囲は、図示例に限定されない。
図１は、本発明を適用した好適な一実施形態として例示する商取引システム１００の概略構成を模式的に示した図である。また、図２は、商取引システム１００による商取引を模式的に示した図である。【００１４】  本発明に係る商取引システムは、例えば、当該システムの利用メンバーとして登録された会員及び加盟店（商品提供者）が、インターネット上に管理サーバにより開設された商取引サービス用の特定のサイトを利用して会員と商品提供者たる加盟店の間及び加盟店どうしの間にて商取引を行うものである。
具体的には、商取引システム１００は、図１及び図２に示すように、複数の会員の各々により所有される複数の会員端末２００（例えば、図１には会員端末２００Ａ〜２００Ｃを図示）と、複数の商品提供者（加盟店）の各々により所有される複数の提供者端末３００（例えば、図１には提供者端末Ｉ〜ＩＩＩを図示）と、これら複数の会員端末２００、…、並びに複数の提供者端末３００、…とインターネットＮを介して接続され、商取引を管理する管理サーバ４００等を備えている。【００１５】  なお、会員端末２００、提供者端末３００並びに管理サーバ４００のインターネットＮへの接続方式は、例えば、有線接続方式であっても良いし、無線接続方式であっても良い。【００１６】  先ず、図３及び図４等を参照して管理サーバ４００について詳細に説明する。
ここで、図３は、管理サーバ４００の要部構成を示すブロック図である。また、図４は、管理サーバ４００によりインターネットＮ上に開設される商取引サイトのメインページＧ１の一例を模式的に示した図である。【００１７】  管理サーバ４００は、例えば、Ｗｅｂサーバとして機能することにより、インターネットＮ上に会員と商品提供者の間、及び商品提供者どうしの間における現金や円天（電子マネー）Ｍを用いた商取引を行う商取引サイトを開設するものであり、具体的には、図３等に示すように、ＣＰＵ４１と、ＲＡＭ４２と、ＲＯＭ４３と、データベース部ＤＢと、操作入力部４４と、表示部４５と、通信制御部４６等を備えている。【００１８】  通信制御部４６は、例えば、モデム（ＭＯＤＥＭ：ＭＯｄｕｌａｔｏｒ／ＤＥＭｏｄｕｌａｔｏｒ）、ルータ、ＴＡ（Ｔｅｒｍｉｎａｌ  Ａｄａｐｔｅｒ）等によって構成され、インターネットＮを介して接続された会員端末２００や提供者端末３００との間において情報通信を行うための制御を行うものである。【００１９】  表示部４５は、例えば、ＬＣＤやＣＲＴ等により構成された表示画面を備え、通信制御部４６にて受信された各種情報やデータベース部ＤＢに記憶された会員情報ｄ１や加盟店情報ｄ２等を表示するようになっている。【００２０】  操作入力部４４は、例えば、数値、文字等を入力するためのデータ入力キーや、データの選択、送り操作等を行うための上下左右移動キーや各種機能キー等によって構成されるキーボードを備え、ユーザにより押下されたキーの押下信号をＣＰＵ４１に出力するようになっている。【００２１】  データベース部ＤＢは、例えば、ハードディスク装置等から構成され、商取引システム１００に登録されている会員情報ｄ１、加盟店情報ｄ２、会員及び加盟店（メンバー）の対応付けに係るメンバー対応情報ｄ３、会員や加盟店の各々により所有される円天情報ｄ４等を記憶している。【００２２】  会員情報ｄ１は、例えば、各会員ごとに、ユーザＩＤ、氏名、郵便番号、住所、電話番号、電子メールアドレス等を含んでいる。【００２３】  加盟店情報ｄ２は、例えば、各加盟店ごとに、ユーザＩＤ、パスワード、氏名、郵便番号、住所、電話番号、ＦＡＸ番号、電子メールアドレス、ホームページＵＲＬ等を含んでいる。【００２４】  メンバー対応情報ｄ３は、例えば、当該商取引システム１００の会員登録における紹介元と紹介先との対応関係を規定するものである。具体的には、メンバー対応情報ｄ３は、紹介者（紹介元）である会員や加盟店のユーザＩＤと、被紹介者（紹介先）である会員や加盟店のユーザＩＤとが対応付けられたものである。また、メンバー対応情報ｄ３は、紹介元と当該紹介元の紹介者とが順次対応付けられるように複数記憶されている。
なお、ユーザＩＤは、例えば、会員端末２００が携帯電話機である場合に、その電話番号を利用しても良いし、所定の配列で並べられる数字等を利用しても良い。
ここで、データベース部ＤＢは、顧客対応情報記憶手段として、紹介者（一の顧客）の一の識別情報と被紹介者（他の顧客）の他の識別情報とが対応付けられたメンバー対応情報ｄ３を記憶している。【００２５】  また、円天情報ｄ４は、例えば、会員や加盟店毎に、ユーザＩＤと会員や加盟店の各々により所有される円天量とが対応付けられた情報である。【００２６】  ＣＰＵ４１は、例えば、ＲＯＭ４３に記憶されている管理サーバ４００としての機能に関る各種プログラムを読み出してＲＡＭ４２の作業領域に展開し、当該プログラムに従って各種処理を実行するものである。
具体的には、ＣＰＵ４１は、インターネットＮ上に商取引サイトを開設して（図４参照）、会員と商品提供者の間、及び商品提供者どうしの間における現金や円天Ｍを用いた商取引を管理するようになっており、例えば、会員端末２００や提供者端末３００から送信され通信制御部４６を介して受信した指示信号に従って所定の処理を実行して、所定のメインメニューに係る表示制御信号を通信制御部４６から会員端末２００や提供者端末３００に送信させるようになっている。【００２７】  ＲＡＭ４２は、例えば、書き換え可能なメモリであり、ＲＯＭ４３から読み出されたプログラムや入力データ、受信データ等の格納領域や作業領域等を構成している。【００２８】  ＲＯＭ４３は、例えば、読み出し専用のメモリであり、ＣＰＵ４１の制御下にて実行される各種のプログラム並びに各プログラムの処理に係るデータ及びテーブル等を記憶している。具体的には、ＲＯＭ４３は、メンバー登録プログラム４３ａ、第一の電子マネー付与プログラム４３ｂ、第二の電子マネー付与プログラム４３ｃ等を記憶している。【００２９】  メンバー登録プログラム４３ａは、商取引システム１００の新規メンバー（会員や加盟店）の登録処理に係る機能をＣＰＵ４１に実現させるためのプログラムである。具体的には、ＣＰＵ４１によるメンバー登録プログラム４３ａの実行に基づいて、管理サーバ４００の制御下にてインターネットＮ上に開設されるメンバー登録サイト（顧客登録サイト）にて、新規登録される会員や加盟店員による所定端末の操作に基づいて入力されたユーザＩＤ、パスワード、氏名、ふりがな、生年月日、郵便番号、住所、電話番号等を会員情報ｄ１や加盟店情報ｄ２に登録するためのものである。
ここで、新規メンバー（被紹介者）のユーザＩＤは、紹介者（紹介元）のメンバーのユーザＩＤと対応付けられてメンバー対応情報ｄ３に記憶されるようになっている（後述）。【００３０】  第一の電子マネー付与プログラム４３ｂは、ＣＰＵ４１を第一の電子マネー付与手段として機能させるものである。具体的には、第一の電子マネー付与プログラム４３ｂは、例えば、当該システム１００の利用メンバーとしての会員Ｂ（他の顧客）と加盟店との商取引における現金での取引額を第一の倍率で積算（例えば、２倍等）して当該積算額に相当する円天Ｍを会員Ｂに対して付与する第一の円天付与処理に係る機能をＣＰＵ４１に実現させるためのプログラムである。【００３１】  第二の電子マネー付与プログラム４３ｃは、ＣＰＵ４１を第二の電子マネー付与手段として機能させるものである。具体的には、第二の電子マネー付与プログラム４３ｃは、会員Ｂによる商取引の取引額を第二の倍率で積算（例えば、１／２倍等）して当該積算額に相当する円天Ｍを、メンバー対応情報ｄ３に会員ＢのユーザＩＤと対応付けて記憶されるユーザＩＤに係る会員Ａ、即ち、会員Ｂの紹介者（紹介元）である会員Ａに対して付与する第二の円天付与処理に係る機能をＣＰＵ４１に実現させるためのプログラムである。【００３２】  ここで、第二の円天付与処理にあっては、例えば、会員Ａだけでなく当該会員Ａを新規メンバーとして紹介した紹介者（例えば、会員Ｓ（図示略）等）に対しても、会員Ｂが商取引することに基づいて所定量の円天Ｍが付与されるようになっている。即ち、ＣＰＵ４１による第二の電子マネー付与プログラム４３ｃの実行に基づいて、会員Ｂの商取引の取引額を所定の倍率で積算した額に相当する円天Ｍを、メンバー対応情報ｄ３に一の会員や加盟店のユーザＩＤと対応付けて記憶されるユーザＩＤに係る紹介者である会員や加盟店に順次付与するようになっている。つまり、会員Ｂを直接紹介したのは会員Ａであるが、会員Ａを紹介したのは会員Ｓであるので、当該会員どうしの紹介の事実関係を考慮して所定量の円天Ｍを付与するようになっている。
具体的には、メンバー対応情報ｄ３に基づいて、商取引を行った会員Ｂ（被紹介者）の直接の紹介者である会員Ａには取引額の１／２倍の円天Ｍを付与し、会員Ａ（被紹介者）の紹介者である会員Ｓには会員Ａに対する付与額のさらに１／２倍の円天Ｍを付与するように、より上流側の紹介者になるにつれて順次１／２倍の円天Ｍを付与するようになっている。【００３３】  なお、第一の円天付与処理及び第二の円天付与処理にて付与された円天Ｍは、例えば、ＣＰＵ４１の制御下にて、円天情報ｄ４に記憶されるようになっている。【００３４】  また、ＲＯＭ４３には、例えば、ＣＰＵ４１による電子メール送受信用ソフトの実行下にて、メンバー紹介メール等の各種の電子メールのフォーマットデータ等（図示略）が記憶されている。【００３５】  次に、会員端末２００について図５〜図９を参照して詳細に説明する。
ここで、図５及び図６は、会員端末２００の要部構成を示すブロック図である。このうち、図６は、当該システム１００の利用者として新規に登録されるメンバーにより所有される端末２００Ｂであり、当該メンバーが登録されることで会員端末２００Ｂとなるようになっている。
また、図７〜図９は、会員端末２００Ａに表示される商取引サイトの画面の一例を模式的に示した図である。【００３６】  会員端末２００は、例えば、携帯電話機やパーソナル・コンピュータ（ＰＣ）等の携帯端末から構成され、具体的には、図５に示すように、ＣＰＵ２１１と、ＲＡＭ２２１と、ＲＯＭ２３１と、操作入力部２４１と、表示部２５１と、通信制御部２６１と、撮像部２７１等を備えている。【００３７】  表示部２５１は、例えば、ＬＣＤ等により構成された表示画面を備え、管理サーバ４００により開設される商取引サイトのメインページＧ１（図４参照）や、当該サイトにアクセスした状態で通信制御部２６１にて受信された画像情報に従って各種画面Ｇ２〜Ｇ８（図７（ａ）等参照）を表示させるようになっている。
具体的には、表示部２５１は、例えば、商取引サイトのメインページＧ１にて「円天の残高確認」、「円天の取引履歴」、「円天の移譲」、「円天の受取」等の操作入力部２４１による選択指示に基づいて、ＣＰＵ２１１の制御下にて、所定の画面Ｇ２〜Ｇ８を表示することができるようになっている。【００３８】  例えば、「円天の受取」が選択指示された場合、表示部２５１には、管理サーバ４００から送信され通信制御部２６１にて受信されたパスワードの入力画面Ｇ２に係る画像情報に基づいて当該入力画面Ｇ２が表示される（図７（ａ）参照）。
この画面Ｇ２にて、所定のパスワードが入力された後、ＣＰＵ２１１の制御下にて、通信制御部２６１により管理サーバ４００に送信され、当該管理サーバ４００にてパスワードに対応するユーザＩＤが一致するか否かの判定が行われる。そして、一致すると判定されると、管理サーバ４００から送信され通信制御部２６１にて受信された円天Ｍの受取画面Ｇ３に係る画像情報に基づいて当該受取画面Ｇ３が表示部２５１に表示される（図７（ｂ）参照）。
そして、他の会員や加盟店から移譲される円天Ｍや商品購入に基づいて管理サーバ４００から付与される円天Ｍの個別の受け取りや一括した受け取りの実行指示が入力された後、ＣＰＵ２１１の制御下にて、通信制御部２６１により管理サーバ４００に送信され、当該管理サーバ４００にて円天Ｍの受け取り確認処理が行われる。そして、受け取り確認後、管理サーバ４００から送信され通信制御部２６１にて受信された円天Ｍの受取完了画面Ｇ４に係る画像情報に基づいて当該受取完了画面Ｇ４が表示部２５１に表示される（図７（ｃ）参照）。【００３９】  また、例えば、「円天の残高確認」が選択指示された場合、表示部２５１には、図７（ａ）と略同様のパスワードの入力画面（図示略）が表示され、パスワードの入力・送信後、管理サーバ４００にてパスワードに対応するユーザＩＤが一致するか否かの判定が行われる。そして、一致すると判定されると、管理サーバ４００から送信され通信制御部２６１にて受信された円天Ｍの残高確認画面Ｇ５に係る画像情報に基づいて当該残高確認画面Ｇ５が表示部２５１に表示される（図８（ａ）参照）。【００４０】  また、例えば、「円天の取引履歴」が選択指示された場合、表示部２５１には、図７（ａ）と略同様のパスワードの入力画面（図示略）が表示され、パスワードの入力・送信後、管理サーバ４００にてパスワードに対応するユーザＩＤが一致するか否かの判定が行われる。そして、一致すると判定されると、管理サーバ４００から送信され通信制御部２６１にて受信された円天Ｍの取引履歴画面Ｇ６に係る画像情報に基づいて当該取引履歴画面Ｇ６が表示部２５１に表示される（図８（ｂ）参照）。【００４１】  また、例えば、「円天の移譲」が選択指示された場合、表示部２５１には、図７（ａ）と略同様のパスワードの入力画面（図示略）が表示され、パスワードの入力・送信後、管理サーバ４００にてパスワードに対応するユーザＩＤが一致するか否かの判定が行われる。そして、一致すると判定されると、管理サーバ４００から送信され通信制御部２６１にて受信された円天Ｍの移譲画面Ｇ７に係る画像情報に基づいて当該移譲画面Ｇ７が表示部２５１に表示される（図９（ａ）参照）。
そして、移譲先の会員や加盟店のユーザＩＤ「０９０ＹＹＹＹＸＸＸＸ」や移譲する円天量が指定されて、移譲の実行「ＯＫ」が指示された後、ＣＰＵ２１１の制御下にて、通信制御部２６１により管理サーバ４００に送信され、当該管理サーバ４００にて円天Ｍの移譲の確認処理が行われる。そして、移譲の確認後、管理サーバ４００から送信され通信制御部２６１にて受信された円天Ｍの移譲完了画面Ｇ８に係る画像情報に基づいて当該移譲完了画面Ｇ８が表示部２５１に表示される（図９（ｂ）参照）。【００４２】  通信制御部２６１は、例えば、モデム等によって構成され、インターネットＮを介して接続された新規メンバー端末２００Ｂや管理サーバ４００との間にて情報通信を行うための制御を行うものである。
具体的には、通信制御部２６１は、メール送信手段として、一の顧客（例えば、会員Ａ）のユーザＩＤと対応付けられ、メンバー登録サイトにアクセスするリンク情報が付された会員紹介メール（電子メール）を、当該会員Ａにより紹介される新規メンバー（他の顧客）の端末（例えば、会員Ｂとなる新規メンバー端末２００Ｂ）に送信するようになっている。即ち、会員Ａによる操作入力部２４１の所定操作に基づいて商取引サイトにアクセスした状態で、メインページＧ１の「会員の紹介」が選択指示（クリック）されることにより、会員ＡのユーザＩＤが対応付けられた電子メールの送信画面Ｇ１０（図１３（ｂ）参照）が会員端末２００の表示部２５１に表示された状態となり、会員Ａの所定操作に基づいて新規メンバーの電子メールアドレス宛に当該電子メールが通信制御部２６１により送信されるようになっている。【００４３】  操作入力部２４１は、例えば、数値、文字等を入力するためのデータ入力キーや、データの選択、送り操作等を行うための上下左右移動キーや各種機能キー等によって構成されるキーボードを備え、ユーザにより押下されたキーの押下信号をＣＰＵ２１１に出力するようになっている。【００４４】  撮像部２７１は、例えば、撮像レンズ、ＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）型イメージセンサやＣＣＤ（Ｃｈａｒｇｅ  Ｃｏｕｐｌｅｄ  Ｄｅｖｉｃｅ）型イメージセンサ等の撮像素子、信号処理部等を備え、撮像レンズにより被写体の光学像を結像して、当該光学像を撮像素子により画像データに光電変換して、当該画像データに信号処理部にて所定の画像処理を施して、ＣＰＵ２１１に出力するものである。【００４５】  ＣＰＵ２１１は、例えば、ＲＯＭ２３１に記憶されている会員端末２００Ａとしての機能に関る各種プログラムを読み出してＲＡＭ２２１の作業領域に展開し、当該プログラムに従って各種処理を実行するものである。
ＲＡＭ２２１は、例えば、書き換え可能なメモリであり、ＲＯＭ２３１から読み出された所定のプログラムや入力データ、受信データ等の格納領域や作業領域等を構成している。
ＲＯＭ２３１は、例えば、読み出し専用のメモリであり、ＣＰＵ２１１の制御下にて実行される各種のプログラム並びに各プログラムの処理に係るデータ及びテーブル等を記憶している。【００４６】  次に、新規メンバーの端末２００Ｂについて図６を参照して説明する。
なお、新規メンバー端末２００Ｂは、以下に説明する操作入力部２４２、撮像部２７２及びＣＰＵ２１２の構成以外の点は上記会員端末２００Ａと略同様であり、その詳細な説明は省略する。【００４７】  新規メンバー端末２００Ｂは、例えば、会員端末２００と同様に、携帯電話機やパーソナル・コンピュータ（ＰＣ）等の携帯端末から構成され、具体的には、図６に示すように、ＣＰＵ２１２と、ＲＡＭ２２２と、ＲＯＭ２３２と、操作入力部２４２と、表示部２５２と、通信制御部２６２と、撮像部２７２等を備えている。【００４８】  操作入力部２４２は、例えば、新規メンバーＢによる所定操作に基づいて、通信制御部２６２を介してメンバー登録サイト（図１４（ｂ）参照）へのアクセスが行われるようになっている。
ここで、会員端末２００Ａから送信された会員紹介メールのリンク情報が操作入力部２４２の所定操作に基づいて選択指示されることにより、メンバー登録サイトにアクセスされた場合には、紹介者である会員ＡのユーザＩＤが会員紹介メールのリンク情報に基づいて自動的に入力されるようになっている。【００４９】  また、メンバー登録サイトへのアクセスが、例えば、操作入力部２４２の新規メンバーＢによる所定操作に基づいて当該サイトのＵＲＬが入力されることにより行われた場合、新規メンバーＢによる操作入力部２４２の所定操作に基づいて、当該新規メンバーＢの紹介者である会員ＡのユーザＩＤが入力されるようになっている。
ここで、操作入力部２４２は、新規メンバーＢによる所定操作に基づいて、メンバー登録サイトのＵＲＬを入力するＵＲＬ入力手段を構成している。
また、操作入力部２４２は、新規メンバーＢによる所定操作に基づいて、会員ＡのユーザＩＤをメンバー登録サイトにて入力する識別情報入力手段を構成している。【００５０】  撮像部２７２は、例えば、メンバー登録サイトのＵＲＬの情報が符号化されたＱＲコードＣ（デジタルコード；図１７参照）を撮像して、当該ＱＲコードＣの光学像を画像データに変換した後、ＣＰＵ２１２に出力するようになっている。
ＣＰＵ２１２は、例えば、入力された画像データに所定の処理を施してメンバー登録サイトのＵＲＬを取得するようになっている。
ここで、撮像部２７２とＣＰＵ２１２は、協働してＱＲコードＣからメンバー登録サイトのＵＲＬを読み取るＵＲＬ読取手段を構成している。【００５１】  次に、図１０を参照して提供者端末３００について詳細に説明する。ここで、図１０は、提供者端末３００の要部構成を示すブロック図である。
提供者端末３００は、例えば、ＰＣや携帯電話機等から構成され、具体的には、図１０に示すように、ＣＰＵ３１と、ＲＡＭ３２と、ＲＯＭ３３と、操作入力部３４と、表示部３５と、通信制御部３６等を備えている。【００５２】  表示部３５は、例えば、ＬＣＤ等により構成された表示画面を備え、商取引サイトのメインページＧ１や、当該サイトにアクセスした状態で通信制御部３６にて受信された画像情報に従って各種画面を表示させるようになっている。【００５３】  通信制御部３６は、例えば、モデム等によって構成され、インターネットＮを介して接続された管理サーバ４００との間において情報通信を行うための制御を行うものである。【００５４】  操作入力部３４は、例えば、数値、文字等を入力するためのデータ入力キーや、データの選択、送り操作等を行うための上下左右移動キーや各種機能キー等によって構成されるキーボードを備え、ユーザにより押下されたキーの押下信号をＣＰＵ３１に出力するようになっている。【００５５】  ＣＰＵ３１は、例えば、ＲＯＭ３３に記憶されている提供者端末３００としての機能に関る各種プログラムを読み出してＲＡＭ３２の作業領域に展開し、当該プログラムに従って各種処理を実行するものである。
ＲＡＭ３２は、例えば、書き換え可能なメモリであり、ＲＯＭ３３から読み出された所定のプログラムや入力データ、受信データ等の格納領域や作業領域等を構成している。
ＲＯＭ３３は、例えば、読み出し専用のメモリであり、ＣＰＵ３１の制御下にて実行される各種のプログラム並びに各プログラムの処理に係るデータ及びテーブル等を記憶している。【００５６】  次に、商取引システム１００における商取引について図１１〜図１８を参照して説明する。【００５７】  先ず、新規メンバーの登録処理について図１１〜図１７を参照して説明する。
ここで、図１１は、商取引システム１００におけるメンバー登録処理を模式的に示した図であり、図１２は、メンバー登録処理に係る動作の一例を示すフローチャートである。また、図１３は、メンバー登録処理にて会員端末２００Ａに表示される画面の一例を模式的に示した図である。また、図１４〜図１６は、メンバー登録処理にて新規メンバー端末２００Ｂに表示される画面の一例を模式的に示した図である。また、図１７は、メンバー登録処理にて新規メンバー端末２００Ｂにより読み取られるＱＲコードＣの一例を模式的に示した図である。【００５８】  新規メンバーの登録処理は、既にメンバーとなっている者からの会員紹介メールを利用する方法、メンバー登録サイトのＵＲＬを直接入力する方法、ＱＲコードＣからＵＲＬを読み取る方法の何れかを用いて行われる。
先ず、既にメンバーとなっている会員Ａからの会員紹介メールを利用する方法について説明する。【００５９】  図１１及び図１２に示すように、先ず、会員端末２００ＡのＣＰＵ２１１は、会員Ａによる操作入力部２４１の所定操作に基づいて、表示部２５１に商取引サイトのメインページＧ１（図４参照）を表示させ、この状態にて、「会員の紹介」が操作入力部２４１を介して選択指示されると、当該選択指示信号を通信制御部２６１から管理サーバ４００に送信させる（ステップＳ１）。
管理サーバ４００にあっては、送信された選択指示信号を通信制御部４６により受信すると、ＣＰＵ４１は、会員の紹介画面Ｇ９（図１３（ａ）参照）を会員端末２００Ａの表示部２５１に表示させるための画像情報を通信制御部２６１から会員端末２００Ａに送信させる（ステップＳ２）。【００６０】  会員端末２００Ａにあっては、会員の紹介画面Ｇ９に係る画像情報を通信制御部２６１により受信すると、ＣＰＵ２１１の制御下にて、表示部２５１に会員の紹介画面Ｇ９を表示させる（ステップＳ３）。この会員の紹介画面Ｇ９にて、会員Ａによる操作入力部２４１の所定操作に基づいて「メール送信画面」が選択指示されると、ＣＰＵ２１１の制御下にて、表示部２５１にメール送信画面Ｇ１０が表示される（ステップＳ４；図１３（ｂ）参照）。
このメール送信画面Ｇ１０には、例えば、「宛先」、「ＣＣ」、「件名」、「本文」が表示されるようになっており、「本文」に会員ＡのユーザＩＤと対応付けられたメンバー登録サイトへのリンク情報「ｈｔｔｐ：／／ｗｗｗ．ｏｏｏｏ．ｏｏｏｏ．＝０９０ＸＸＸＸＹＹＹＹ」が付されている。【００６１】  かかる状態にて、会員Ａによる操作入力部２４１の所定操作に基づいて、「宛先」に新規メンバーの端末２００Ｂの電子メールアドレスが入力され、「送信」が選択指示されると、ＣＰＵ２１１は、通信制御部２６１を制御して、会員紹介メールを新規メンバー端末２００Ｂに対して送信させる（ステップＳ５）。【００６２】  新規メンバー端末２００Ｂにあっては、送信された会員紹介メールを通信制御部２６２により受信すると、ＣＰＵ２１２は、新規メンバーＢによる操作入力部２４２の所定操作に基づいて会員紹介メールＧ１１（図１４（ａ）参照）を新規メンバー端末２００Ｂの表示部２５２に表示させる（ステップＳ６）。
かかる状態にて、新規メンバーによる操作入力部２４２の所定操作に基づいて、「本文」のメンバー登録サイトのリンク情報「ｈｔｔｐ：／／ｗｗｗ．ｏｏｏｏ．ｏｏｏｏ．＝０９０ＸＸＸＸＹＹＹＹ」が選択指示されると、ＣＰＵ２１２は、当該選択指示信号を通信制御部２６２から管理サーバ４００に送信させる（ステップＳ７）。【００６３】  管理サーバ４００にあっては、送信された選択指示信号を通信制御部４６により受信すると、ＣＰＵ４１は、メンバー登録サイトのログイン画面Ｇ１２（図１４（ｂ）参照）を新規メンバー端末２００Ｂの表示部２５２に表示させるための画像情報を通信制御部４６から新規メンバー端末２００Ｂに送信させる（ステップＳ８）。【００６４】  新規メンバー端末２００Ｂにあっては、メンバー登録サイトのログイン画面Ｇ１２に係る画像情報を通信制御部２６２により受信すると、ＣＰＵ２１２の制御下にて、表示部２５２にメンバー登録サイトのログイン画面Ｇ１２を表示させる（ステップＳ９）。このログイン画面Ｇ１２にて、新規メンバーＢによる操作入力部２４２の所定操作に基づいて「新規会員登録の方はこちらから」が選択指示されると、ＣＰＵ２１２は、当該選択指示信号を通信制御部２６２から管理サーバ４００に送信させる（ステップＳ１０）。【００６５】  管理サーバ４００にあっては、送信された選択指示信号を通信制御部４６により受信すると、ＣＰＵ４１は、ユーザＩＤ、パスワード、氏名、ふりがな、生年月日、電話番号、郵便番号、住所等の各種入力画面（図示略）を新規メンバー端末２００Ｂの表示部２５２に表示させるための画像情報を通信制御部４６から新規メンバー端末２００Ｂに送信させる（ステップＳ１１）。【００６６】  新規メンバー端末２００Ｂにあっては、各種入力画面に係る画像情報を通信制御部２６２により受信すると、ＣＰＵ２１２の制御下にて、表示部２５２に各種入力画面を表示させ（ステップＳ１２）、この入力画面にて、新規メンバーＢによる操作入力部２４２の所定操作に基づいて各種情報が入力されて、「次へ」が選択指示されると、ＣＰＵ２１２は、当該選択指示信号を通信制御部２６２から管理サーバ４００に送信させる（ステップＳ１３）。【００６７】  管理サーバ４００にあっては、送信された選択指示信号を通信制御部４６により受信すると、ＣＰＵ４１は、紹介者のユーザＩＤの入力画面Ｇ１３（図１５（ａ）参照）を新規メンバー端末２００Ｂの表示部２５２に表示させるための画像情報を通信制御部４６から新規メンバー端末２００Ｂに送信させる（ステップＳ１４）。【００６８】  新規メンバー端末２００Ｂにあっては、紹介者のユーザＩＤの入力画面Ｇ１３に係る画像情報を通信制御部２６２により受信すると、ＣＰＵ２１２の制御下にて、表示部２５２に紹介者のユーザＩＤ入力画面Ｇ１３を表示させる（ステップＳ１５）。このとき、紹介者のユーザＩＤ「０９０ＸＸＸＸＹＹＹＹ」は、会員紹介メールのリンク情報に基づいて自動的に入力されるようになっている。
そして、新規メンバーＢによる操作入力部２４２の所定操作に基づいて「次へ」が選択指示されると、ＣＰＵ２１２は、当該選択指示信号を通信制御部２６２から管理サーバ４００に送信させる（ステップＳ１６）。【００６９】  管理サーバ４００にあっては、送信された選択指示信号を通信制御部４６により受信すると、ＣＰＵ４１はメンバー登録プログラム４３ａを実行して、新規メンバーＢのユーザＩＤ、パスワード、氏名、ふりがな、生年月日、郵便番号、住所、電話番号等を会員情報ｄ１に登録するとともに、新規メンバーＢのユーザＩＤを紹介者である会員ＡのユーザＩＤと対応付けてメンバー対応情報ｄ３に登録する（ステップＳ１７）。
その後、ＣＰＵ４１は、通信制御部４６を制御して、登録完了メールを新規メンバー端末２００Ｂに送信させる（ステップＳ１８）。【００７０】  新規メンバー端末２００Ｂ（会員端末２００Ｂ）にあっては、送信された登録完了メールを通信制御部２６２により受信すると、ＣＰＵ２１２は、新規会員Ｂによる操作入力部２４２の所定操作に基づいて登録完了メールを会員端末２００Ｂの表示部２５２に表示させ、その「本文」の商取引サイトのリンク情報の選択指示に基づいて商取引サイトＧ１４（図１５（ｂ）参照）にアクセスすることができる。【００７１】  次に、メンバー登録サイトのＵＲＬを直接入力することによりメンバー登録を行う場合について説明する。
新規メンバー端末２００Ｂにあっては、新規メンバーによる操作入力部２４２の所定操作に基づいて、インターネットのＵＲＬ入力画面Ｇ１５にてメンバー登録サイトのＵＲＬ「ｈｔｔｐ：／／ｗｗｗ．ｏｏｏｏ．ｏｏ」が入力されて、「ＯＫ」が選択指示されると（図１６（ａ）参照）、ＣＰＵ２１２は、当該選択指示信号を通信制御部２６２から管理サーバ４００に送信させる。
なお、これ以降は、ステップＳ８〜ステップＳ１３と同様の処理が行われる【００７２】  そして、ステップＳ１４にて、ＣＰＵ２１２の制御下にて、表示部２５２に紹介者のユーザＩＤ入力画面Ｇ１６（図１６（ｂ）参照）が表示される。ここで、紹介者のユーザＩＤは、会員紹介メールを利用する場合と異なり、新規メンバーによる操作入力部２４２の所定操作に基づいて入力される必要がある。
なお、これ以降の処理は、ステップＳ１５〜ステップＳ１７と同様の処理が行われる。【００７３】  次に、ＱＲコードＣからＵＲＬを読み取ることによりメンバー登録を行う場合について説明する。
ＱＲコードＣを利用する場合、新規メンバーによる操作入力部２４２の所定操作に基づいて、メンバー登録サイトのＵＲＬ「ｈｔｔｐ：／／ｗｗｗ．ｏｏｏｏ．ｏｏ」を入力する代わりに、名詞や広告等に記されたＱＲコードＣ（図１７参照）を新規メンバー端末２００Ｂの撮像部２７２にて撮像することにより光電変換された画像データに基づいて、ＣＰＵ２１２がメンバー登録サイトのＵＲＬを取得することができるようになっている。
なお、これ以外の各処理は、上記と同様であるので説明は省略する。【００７４】  次に、新規メンバーとなった会員Ｂによる商品の購入に係る商取引処理について、図１８を参照して説明する。【００７５】  先ず、新規会員Ｂによる商品提供者（加盟店）の所望の商品が購入される場合に（図２参照）、管理者（管理サーバ４００）を介して商品提供者に商品の注文が行われる（ステップＳ１０１）。続けて、会員Ｂによって当該商品の代金が管理者に対して現金で支払われると（ステップＳ１０２）、管理サーバ４００は、管理者による所定操作に基づいて当該商品代金を円天Ｍで商品提供者に対して支払う処理を行う（ステップＳ１０３）。なお、管理サーバ４００から加盟店への商品代金の支払は、円天Ｍに代えて現金で支払う、即ち、加盟店の所定の銀行口座等に降り込む処理を行うようにしても良い。
商品提供者は、商品代金を受け取った後、会員Ｂ所望の商品を会員Ｂに対して送付する（ステップＳ１０４）。【００７６】  また、管理サーバ４００にあっては、商品代金を受け取ると、ＣＰＵ４１による第一の電子マネー付与プログラム４３ｂの実行に基づいて、会員Ｂと商品提供者との商取引における現金での取引額を２倍した額に相当する円天Ｍを会員Ｂに対して付与する第一の円天付与処理を行う（ステップＳ１０５）。
その後、ＣＰＵ４１は、第二の電子マネー付与プログラム４３ｃの実行に基づいて、会員Ｂによる取引額を１／２倍した額に相当する円天Ｍを、メンバー対応情報ｄ３に会員ＢのユーザＩＤと対応付けて記憶されるユーザＩＤに係る会員Ａに対して付与する第二の円天付与処理を行う（ステップＳ１０６）。なお、第二の円天付与処理にあっては、会員Ａを紹介した会員Ｓ等が存在する場合には、会員Ａに付与した円天Ｍの１／２倍の量の円天Ｍを会員Ｓに付与するようになっている。【００７７】  以上のように、本実施の形態の商取引システム１００によれば、会員Ｂによる商取引に基づいて、当該会員Ｂに対して所定量の円天Ｍを付与するだけでなく、会員Ｂを紹介した会員Ａに対しても所定量の円天Ｍを付与することができる。即ち、会員どうしの紹介の事実関係を考慮して所定量の円天Ｍを付与することができるので、商品の購入機会の増加を適正に図ることができ、市場における通貨の流通を促進させることができる。【００７８】  また、新規メンバーの登録にあっては、会員Ａから送信された新規メンバー端末２００Ｂにて受信された会員紹介メールに付され、会員ＡのユーザＩＤと対応付けられたメンバー登録サイトにアクセスするリンク情報に基づいて、新規メンバーＢはメンバー登録サイトへのアクセスを容易に行うことができるとともに、会員ＡのユーザＩＤも自動的に入力されるので、会員どうしの紹介関係の対応付けを適正に、且つ、簡便に行うことができる。
また、メンバー登録サイトのＵＲＬを新規メンバー端末２００Ｂの所定の操作に基づいて直接入力しても良いし、ＱＲコードＣを読み取ることによりＵＲＬを取得しても良いので、メンバー登録サイトへのアクセス方法を複数確保して新規メンバーに選択の自由を与えることができ、より魅力的な商取引システム１００を提供することができる。【００７９】  なお、本発明は、上記実施の形態に限定されることなく、本発明の趣旨を逸脱しない範囲において、種々の改良並びに設計の変更を行っても良い。
例えば、上記実施形態では、会員Ｂを会員Ａが紹介して、会員Ａを会員Ｓが紹介するという会員どうしの紹介を例示したが、これに限られるものではなく、例えば、一の会員から一の加盟店の紹介や、加盟店どうしの紹介や、一の加盟店から一の会員の紹介であっても良い。【００８０】  また、上記実施形態では、第一の円天付与処理にて会員Ｂに取引額の２倍の円天Ｍを付与し、第二の円天付与処理にて会員Ａに会員Ｂの取引額の１／２倍の円天Ｍを付与するようにしたが、それぞれの処理にて付与される円天Ｍの量はこれに限られるものではない。即ち、被紹介者や紹介者に対する円天Ｍの付与量は、適宜任意に変更することができる。【００８１】  さらに、第一の円天付与処理及び第二の円天付与処理における円天Ｍの付与は、例えば、特定の商品販売者により提供される特定の商品の商取引を対象としても良いし、全ての商品販売者により提供される特定の或いは全ての商品の商取引を対象としても良い。【００８２】  また、上記実施の形態では、第一の電子マネー付与手段及び第二の電子マネー付与手段としての機能を、管理サーバ４００のＣＰＵ４１によって、所定のプログラム等が実行されることにより実現される構成としたが、これに限られるものではなく、例えば、各種機能を実現するためのロジック回路から構成しても良い。【００８３】  加えて、上記実施形態では、加盟店（商品提供者）Ｉ〜ＩＩＩは商品を販売するようにしたが、これに限られるものではなく、例えば、顧客に対して所定のサービスを提供するようなサービス提供業者であっても良い。
また、商品提供者として加盟店を例示したが、これに限られるものではなく、例えば、管理者自体が商品提供者として商品を提供するようにしても良い。【００８４】  さらに、上記実施形態では、通信回線としてインターネットＮを例示したが、これに限られるものではなく、専用線や既存の一般公衆回線を利用して構築された通信回線（通信ネットワーク）であれば如何なるものであっても良く、例えば、ＬＡＮやＷＡＮ等の様々な回線形態を適用することが可能である。また、本発明に係る通信回線には、例えば、電話回線網、ＩＳＤＮ回線網、専用線、移動体通信網、通信衛星回線、ＣＡＴＶ回線網等の各種通信回線網等が含まれる。
【図面の簡単な説明】
【００８５】
【図１】本発明を適用した好適な一実施形態として例示する商取引システムの概略構成を模式的に示した図である。
【図２】図１の商取引システムによる商取引を模式的に示した図である。
【図３】図１の商取引システムを構成する管理サーバの要部構成を示すブロック図である。
【図４】図３の管理サーバにより開設される商取引サイトの画面の一例を模式的に示した図である。
【図５】図１の商取引システムを構成する会員端末の要部構成を示すブロック図である。
【図６】図１の商取引システムを構成する会員端末（新規メンバー端末）の要部構成を示すブロック図である。
【図７】図５の会員端末に表示される商取引サイトの画面の一例を模式的に示した図である。
【図８】図５の会員端末に表示される商取引サイトの画面の一例を模式的に示した図である。
【図９】図５の会員端末に表示される商取引サイトの画面の一例を模式的に示した図である。
【図１０】図１の商取引システムを構成する提供者端末の要部構成を示すブロック図である。
【図１１】図１の商取引システムにおけるメンバー登録処理を模式的に示した図である。
【図１２】図１１のメンバー登録処理に係る動作の一例を示すフローチャートである。
【図１３】図１１のメンバー登録処理にて会員端末に表示される画面の一例を模式的に示した図である。
【図１４】図１１のメンバー登録処理にて新規メンバー端末に表示される画面の一例を模式的に示した図である。
【図１５】図１１のメンバー登録処理にて新規メンバー端末に表示される画面の一例を模式的に示した図である。
【図１６】図１１のメンバー登録処理にて新規メンバー端末に表示される画面の一例を模式的に示した図である。
【図１７】図１１のメンバー登録処理にて新規メンバー端末により読み取られるＱＲコードの一例を模式的に示した図である。
【図１８】図１の商取引システムにおける商取引処理に係る動作の一例を示すフローチャートである。
【符号の説明】
【００８６】１００    商取引システム
２００、２００Ａ  会員端末（顧客端末）
２００Ｂ  新規メンバー端末（顧客端末）
２１２    ＣＰＵ（ＵＲＬ読取手段）
２４２    操作入力部（識別情報入力手段、ＵＲＬ入力手段）
２６１    通信制御部（メール送信手段）
２７２    撮像部（ＵＲＬ読取手段）
３００    提供者端末（顧客端末）
４００    管理サーバ
４１      ＣＰＵ（第一の電子マネー付与手段、第二の電子マネー付与手段）
ＤＢ      データベース部（顧客対応情報記憶手段）
Ｍ        円天（電子マネー）
Ｎ        インターネット（ネットワーク）
【図１】
2007328749.tif 000003
【図２】
2007328749.tif 000004
【図３】
2007328749.tif 000005
【図４】
2007328749.tif 000006
【図５】
2007328749.tif 000007
【図６】
2007328749.tif 000008
【図７】
2007328749.tif 000009
【図８】
2007328749.tif 000010
【図９】
2007328749.tif 000011
【図１０】
2007328749.tif 000012
【図１１】
2007328749.tif 000013
【図１２】
2007328749.tif 000014
【図１３】
2007328749.tif 000015
【図１４】
2007328749.tif 000016
【図１５】
2007328749.tif 000017
【図１６】
2007328749.tif 000018
【図１７】
2007328749.tif 000019
【図１８】
2007328749.tif 000020